(57)【特許請求の範囲】
【請求項１】
給水源と、前記給水源から水が供給され、隔膜で極室を分離形成し前記極室に電極を配設した電解槽と、前記電極に印加する電圧極性を反転させて生成される水を変える極性反転手段と、前記電解槽で得られた水を局部に噴射するノズルを備え、洗浄開始時にはアルカリイオン水で局部を洗浄し、その後洗浄終了時には酸性水で局部の殺菌をするように、前記ノズルから噴射するように前記極性判定手段が極性を変えるようにした洗浄便座装置。
【請求項２】
給水源から前記電解槽に供給された水に電解質を添加する添加筒を備えた請求項１記載の洗浄便座装置。
【発明の詳細な説明】
【０００１】
【産業上の利用分野】
本発明は肛門部およびビデ部などの局部洗浄に用いる洗浄便座装置に関するものである。
【０００２】
【従来の技術】
一般に、肛門部やビデ部は不潔になりやすく、皮膚病や痔病の予防のためにも清潔に保つことが望まれており、従来から洗浄便座では加温した水道水を洗浄水として用い、肛門部およびビデ部の温水洗浄を行っていた。洗浄効果を高めるために、洗浄水に界面活性剤を添加するものや（実開平５−７７６５公報）、洗浄水として酸性水を用い、酸性水の収れん、制菌、殺菌作用により肛門部、ビデ部を清潔に保つものが特開平６−１７３３１６号公報、特開平６−１７３３１５号公報、特開平６−１５８７０１号公報などに開示されている。
【０００３】
【発明が解決しようとする課題】
しかしながら、界面活性剤で洗浄を行うものでは、皮膚に界面活性剤が残るとかゆみなどの炎症を起こすため、界面活性剤を充分に洗い流す必要があり、洗浄に時間がかかるという課題があった。
【０００４】
また、洗浄を行っても皮膚に界面活性剤が吸着残留する場合があり、分解性の悪い界面活性剤が残留すると体に対して悪影響を与えるという課題があった。
【０００５】
また、界面活性剤による洗浄を行うには、定期的に界面活性剤の補給が必要になるという課題があった。
【０００６】
また、皮膚病や痔病を患っている場合には、肛門部およびビデ部の洗浄だけではなく、排便後肛門部の殺菌を行うことが効果的であるが、酸性水の収れん、制菌、殺菌能力は油や脂肪の存在で低下するため、洗浄水として酸性水を用いるものでは、便中のたんぱく質や脂肪の影響で、酸性水の収れん、制菌、殺菌作用が低下するため、制菌、殺菌効果を得るには多量の酸性水が必要になるという課題があった。
【０００７】
また、水道水そのものを電気分解して得られた酸性水の殺菌能力は低く、短時間では対象物の殺菌を行うことが出来ないという課題があるとともに、殺菌能力を得るためには電解質などの添加が必要になるという課題があった。
【０００８】
また、電解時間は電極の寿命にも関係し、長時間電解を行うと電極の寿命が短くなるという課題があった。
【０００９】
本発明は上記課題を解決するものであり、第１の目的としては、少量の酸性水で局部の殺菌をおこなうことであり、第２の目的としては、局部の殺菌時間を短縮することである。
【００１０】
【課題を解決するための手段】
本発明は上記目的を達成するため、給水源と、前記給水源から水が供給され、隔膜で極室を分離形成し前記極室に電極を配設した電解槽と、前記電極に印加する電圧極性を反転させて生成される水を変える極性反転手段と、前記電解槽で得られた水を局部に噴射するノズルを備え、洗浄開始時にはアルカリイオン水で局部を洗浄し、その後洗浄終了時には酸性水で局部の殺菌をするように、前記ノズルから噴射するように前記極性判定手段が極性を変えるようにした。また、第２の手段として、給水源から前記電解槽に供給された水に電解質を添加する添加筒を備えた構成とした。
【００１１】
【作用】
隔膜で極室を分離形成し電極を配設した電解槽により、水を電気分解する。局部洗浄水としては、アルカリイオン水のアルカリ洗浄効果と水電気分解によって発生した気泡の洗浄効果を有したアルカリイオン水を用いることで、肛門部の油分や脂肪分を除去することが出来、その後極性反転手段により電極に印加する電圧極性を反転させることで、酸性水を局部殺菌をするように噴射する事が出来る。
【００１２】
また、添加筒で給水源から供給される水に電解質を添加し、隔膜で極室を分離形成し極室に電極を配設した電解槽で水を電気分解する。電解質を添加する事で、短時間に殺菌能力の高い酸性水を得ることが出来る。
【００１３】
【実施例】
本発明の第１の実施例の洗浄便座装置を図１に示す。
【００１４】
図１において、本発明の洗浄便座装置は、給水源１と、給水源１から電解槽３に水を供給する原水パイプ２と、隔膜４で極室５ａ、５ｂを分離形成し極室５ａ、５ｂに電極６ａ、６ｂを配設した電解槽３と、極室５ａに接続された排水パイプ７と、極室５ｂとノズル８を接続するパイプ９で構成されている。
【００１５】
電極６ａ、６ｂとしては、チタン基体に白金、イリジウム、パラジウム、ルテニウムなどの貴金属をメッキもしくは焼結したものやフェライト、ステンレスなどを用いることができる。
【００１６】
なお、電極の形状は板状、メッシュ状、線状、円筒状のいづれでも良い。
【００１７】
上記構成において、電極５ａ、５ｂ間に直流電圧を印加し、電極５ａを正極、電極５ｂを負極にする。電解槽３では水の電気分解により、極室５ａには酸性水が、極室５ｂにはアルカリイオン水が生成され、ノズル８からは、洗浄水としてアルカリイオン水が噴射される。アルカリイオン水には、アルカリ水の洗浄効果と電気分解による気泡の混入による気泡効果を有しているため、局部に付着した便中の脂肪やたんぱく等を除去することができる。
【００１８】
以上のように本発明による洗浄便座装置では、水の電気分解で得られたアルカリイオン水を局部洗浄水として用いることで、薬液等の補給を不要化するとともに、洗浄時間を短縮する事ができる。
【００１９】
本発明の第２の実施例の洗浄便座装置を図２に示す。
【００２０】
図２において、本発明の洗浄便座装置は、給水源１と、給水源１とタンク１１を接続する原水パイプ２と、水の界面活性力を高める電気石１０を配設したタンク１１と、タンク１１とノズル８を接続するパイプ９と、タンク１１からの水を局部に噴射するノズル８で構成されている。
【００２１】
上記構成において、電気石１０による永久電極によりタンク内の水の界面活性力を高めることができる。活性を高めた水は、分解性のよい洗浄剤であり、皮膚に残留しても、悪影響を与えることはない。
【００２２】
以上のように本発明による洗浄便座装置では、界面活性力を高めた水を洗浄剤として用いるため、分解性が良く、人体に無害な洗浄剤を得ることができる。
【００２３】
本発明の第３の実施例の洗浄便座装置を図３に示す。
【００２４】
図３において、本発明の洗浄便座装置は、給水源１と、給水源１から電解槽３に水を供給する原水パイプ２と、隔膜４で極室５ａ、５ｂを分離形成し極室５ａ、５ｂに電極６ａ、６ｂを配設した電解槽３と、電極６ａ、６ｂに印加する電圧極性を反転させる極性反転手段１２と極室５ｂに接続された排水パイプ７と、極室５ａとノズル８を接続するパイプ９で構成されている。
【００２５】
上記構成において、洗浄開始時には電極６ａ、６ｂ間に直流電圧を印加し、電極６ａを負極、電極６ｂを正極にする。電解槽３では水の電気分解により、極室５ａにはアルカリイオン水が、極室５ｂには酸性水が生成され、ノズル８からは、洗浄水としてアルカリイオン水が噴射される。洗浄終了時には、極性反転手段１２により、電圧極性を反転させ、電極６ａを正極、電極６ｂを負極にする。極室５ａには酸性水が極室５ｂにはアルカリイオン水が生成され、ノズル８から酸性水が局部に噴射される。
【００２６】
アルカリ水の洗浄効果と電気分解による気泡の混入による気泡効果により、局部に付着した便中の脂肪やたんぱく等を除去した後に酸性水を噴射することで、少量の酸性水で局部の殺菌を行うことができる。
【００２７】
以上のように本発明による洗浄便座装置では、水の電気分解で得られたアルカリイオン水で便中の脂肪やたんぱく等を除去した後に酸性水を噴射することで、少量の酸性水で局部の殺菌を行うことができる。
【００２８】
また、電圧極性を反転させることで、電極に付着したスケールなどの汚れを除去することが出来る。
【００２９】
本発明の第４の実施例の洗浄便座装置を図４に示す。
【００３０】
図４において、本発明の洗浄便座装置は、給水源１と、給水源１から電解槽３に水を供給する原水パイプ２と、原水パイプ２に設けた添加筒１３と隔膜４で極室５ａ、５ｂを分離形成し極室５ａ、５ｂに電極６ａ、６ｂを配設した電解槽３と、極室５ａに接続された排水パイプ７と、極室５ｂとノズル８を接続するパイプ９で構成されている。
【００３１】
上記構成において、電極６ａ、６ｂ間に直流電圧を印加し、電極６ａを負極、電極６ｂを正極にする。電解槽３では添加筒１３により電解質を含んだ水を電気分解することで、極室５ａにはアルカリ水が、極室５ｂには酸性水が生成され、ノズル８からは、洗浄水として酸性水が噴射される。添加筒１３により、電解質を水に添加することで、殺菌力の高い酸性水を得ることができる。
【００３２】
以上のように本発明による洗浄便座装置では、電解質を添加した水を電気分解することで殺菌効果の高い酸性水を局部洗浄水として用いることができ、殺菌剤などの薬液の供給を不要化するとともに、殺菌時間を短縮することができる。
【００３３】
本発明の第５の実施例の洗浄便座装置を図５に示す。
【００３４】
図５において、本発明の洗浄便座装置は、給水源１と、電極１４を備えた塩素発生槽１５と塩素発生槽１５で得られた水を局部に噴射するノズル８で構成されている。
【００３５】
上記構成において、電極１４に直流電圧を印加し、水を電気分解することで、水中の塩素イオンから塩素ガスを発生させる。塩素ガスが水に溶解する際に殺菌力のある次亜塩素酸が生成され殺菌力のある水を局部に噴射する事が出来る。
【００３６】
以上のように、本発明による洗浄便座装置によれば、電解質などの添加なしでも、水中の塩素イオンから殺菌能力のある洗浄水を得ることが出来る。
【００３７】
本発明の第６の実施例の洗浄便座装置を図６に示す。
【００３８】
図６において、本発明の洗浄便座装置は、給水源１と、電極１４を備えた塩素発生槽１５と塩素発生槽１５で発生した塩素ガスを水に溶解させる混合槽１６と混合槽１６で得られた水を局部に噴射するノズル８で構成されている。
【００３９】
混合槽１６には充填剤１７が充填されている。
【００４０】
上記構成において、電極５ａ、５ｂ間に直流電圧を印加し、水を電気分解することで、水中の塩素イオンから塩素ガスを発生させる。混合槽１６に充填した充填剤１７により塩素発生槽１５で発生した塩素ガスを効率よく、水に溶解させることができる。
【００４１】
以上のように、本発明の洗浄便座装置によれば塩素発生槽で発生させた塩素ガスを混合層に充填した充填剤により、効率的に水に溶解させることができるため、電解時間を短くすることが出来るとともに、電極の寿命を長くすることができる。
【００４２】
【発明の効果】
（１）洗浄開始時には、水の電気分解で得られたアルカリイオン水で便中の脂肪やたんぱく等を除去し、その後洗浄終了時には酸性水を噴射することで、少量の酸性水で局部の殺菌を行うことができる。
【００４３】
また、電圧極性を反転させることで、電極に付着したスケールなどの汚れを除去することが出来る。
【００４４】
（２）電解質を添加した水を電気分解することで殺菌効果の高い酸性水を局部洗浄水として用いることができ、殺菌剤などの薬液の供給を不要化するとともに殺菌時間を短縮することができる。
【図面の簡単な説明】
【図１】  本発明の第１の実施例の洗浄便座装置の構成図
【図２】  本発明の第２の実施例の洗浄便座装置の構成図
【図３】  本発明の第３の実施例の洗浄便座装置の構成図
【図４】  本発明の第４の実施例の洗浄便座装置の構成図
【図５】  本発明の第５の実施例の洗浄便座装置の構成図
【図６】  本発明の第６の実施例の洗浄便座装置の構成図
【符号の説明】
１  給水源
２  原水パイプ
３  電解槽
４  隔膜
５ａ、５ｂ  極室
６ａ、６ｂ  電極
７  排水パイプ
８  ノズル
９  パイプ
１０  電気石
１１  タンク
１２  極性反転手段
１３  添加筒
１５  塩素発生槽
１６  混合槽
１７  充填剤
【図１】
0003708179.tif 000002
【図２】
0003708179.tif 000003
【図３】
0003708179.tif 000004
【図４】
0003708179.tif 000005
【図５】
0003708179.tif 000006
【図６】
0003708179.tif 000007